(57)【要約】      （修正有）【課題】コンクリート等の舗装面に草花や樹木を交えた緑化、またはポイント的な緑化が特別な工事を施すことなく構築できる多段式植栽ボックスを提供する。【解決手段】腐食しにくい材質で高さ、幅、長さが異なる正多角形の箱型に組んだボックス１を複数形成し、大きい順に一つのボックス内に収め、ボックスの中心部から外周ボックスに向かい余剰水を流水する階段状の流水孔５を各ボックス内に形成し、ボックス同士の底部を底板２で一体化するとともに各ボックス間に一定間隔を置いて仕切板３を設置してボックス同士を連結固定して多室植栽室を構成し、植栽室内に樹木を植栽する。【選択図】図１
0003203419.tif 000002
【実用新案登録請求の範囲】
【請求項１】
高さ、幅、長さが異なる複数の正多角形の箱型に組んだボックスを大きい順に一つのボックス内に収め、底板と複数の仕切板でボックスを一体化し、多段植栽室を形成したことを特徴とする多段式植栽ボックス。
【請求項２】
箱型に組んだ複数のボックスからなる上記多段式植栽ボックスの中心部から外周ボックスに向かい、余剰水を流水する階段状の流水孔が形成されていることを特徴とする多段式植栽ボックス。
【考案の詳細な説明】
【技術分野】
【０００１】
本考案は、舗装された道路、屋上やマンション等のバルコニー、公共施設内等の無土壌面に樹木や草花類の植物で緑化を図る植栽ボックスに関するものである。
【背景技術】
【０００２】
市街地は、都市化が進むに従って高層建築物が乱立するとともに、道路や地面の多くがアスファルトやコンクリートで舗装され、土や水など植物の生育に必要な条件が損なわれ、良好な自然環境が失われている。しかも高層建築物から排出される熱エネルギーは、地球温暖化など自然環境を壊す一因となっている現状から、自然環境を取り戻すため緑地の確保や都市公園の整備が強く要請されている。
【０００３】
しかし、都市部においては公園用地や緑地帯の確保が困難であるため、ビルやマンション等の屋上やバルコニー及びコンクリート等で舗装された道路端等が緑地化するための空間として近年見直され、これら無土壌面の緑化を図るべく植栽ボックスを使用して草花類や樹木を植栽して道路上やロビー等の床面に設置して緑化を図る方法やＬ型見切枠で庭園状に囲い土壌を積層して屋上等の緑化を図る方法（特許文献１）が知られている。
【先行技術文献】
【特許文献】
【０００４】
【特許文献１】特開２０１３−２５２０８９号広報
【考案の概要】
【考案が解決しようとする課題】
【０００５】
しかしながら、道路上等に設置される植栽ボックスは、コンクリート製の長方形型や丸型に形成されたボックス内に樹木もしくは草花類を植栽した植栽ボックスが設置されているが、コンクリートで形成された植栽ボックスは、自然的景観に欠けるとともに１ボックス内に植栽された植物のボリューム観が欠ける問題があった。また特許文献１は、設置や撤去に多大な経費を要するとともに、樹木等の植栽に緑化作業者は植栽のための技能を有さなければならない問題点がある。
【課題を解決するための手段】
【０００６】
本考案者は、上記課題を検討した末、植栽の技能者でなくとも手軽に植栽や移動が可能な容器でボリュウム観と景観に優れた多段式の植栽ボックスを考案し、道路等の舗装面緑化を図ることとした。
【０００７】
上記多段式植栽ボックスは、従来の１ボックス型植栽容器と異なり、大きさと高さが異なる複数の箱型に組んだボックスを一つのボックス内に収め、底板と仕切板で各ボックスを一体化させ、階段状の植栽室が構成された多段式植栽ボックスとし、各植栽室の底部には保水層部と余剰水を流出する排水孔が形成され、中央の植栽ボックス内には樹木植栽を可能とする樹木固定具を備えた多段式植栽ボックスである。  
【考案の効果】
【０００８】
多段式植栽ボックスは、樹木を交えたミニ花壇が簡単に形成でき、従来の単室植栽ボックスに比べ設置個所の景観向上が図れる多段式植栽ボックスである。
【図面の簡単な説明】
【０００９】
【図１】多段式植栽室を構成した植栽ボックスを示す説明図である。
【図２】ボックス外面を装飾し、余剰水を集水・排水するカバー材を示す説明図である。
【図３】植栽ボックス内と外壁面を示す説明図である。
【図４】樹木固定具による樹木植栽を示す断面図である。
【図５】植栽ボックス内に植栽した一事例を示す斜視図である。
【考案を実施するための形態】
【００１０】
以下、図面を参照して本考案の具体的な実施形態を詳述する。
【実施例】
【００１１】
以下、図面に従って説明する。
図１は、腐食しにくい樹脂製ボード板で形成した大きさと高さが異なる複数の正多角形の箱型に組んだボックス１を大きい順に一つのボックス内に収め、底板２と仕切板３で各ボックス１を一体化させて、階段状植栽室を構成した多段式植栽ボックス４を示すものである。当該多段式植栽ボックス４は、高さが約１５センチ、ボックス間が約１５センチ差で形成した複数のボックス１を組合せ、底板２と複数の仕切板３で連結固定し、階段状植栽室を構成した多段式植栽ボックス４である。
【００１２】
また、各ボックスの下部には保水層と余剰水を流出させる流水孔５が形成されており、当該流水孔５は外周ボックスの流水孔５より内側ボックスに沿って流水孔５の位置が高くなるよう形成され、余剰水が階段状に流れ外部に排水される。なお当該多段式植栽ボックス４は、運搬に便利なボルトで組立できる組立式に構成されている
【００１３】
図２は、半球体状のカバー材内に余剰水を集水する集水室と外部に余剰水を排水する排水孔を複数形成した集排水機能と外周ボックス面を装飾するカバー材６である。当該カバー材は、原木の丸太材から角材や板材を製材する時にでる切端材を用いて多段式植栽ボックスの外周ボックス面を覆う大きさに形成されたカバー材６であり、外周ボックス面と接する平面側に数センチ幅で数十センチ長さの溝７と当該溝内に垂直状の排水孔８を複数形成したカバー材６で、樹脂製ボード板で形成された植栽ボックスの美観向上とボックス内の余剰水を集排水する機能を有したカバー材である。
【００１４】
図３は、ボックスを組合せた植栽ボックス内と外壁面を示すものである。中心部となるボックスの植栽ボックス内下部には、軽量で高い保水機能を持つ粒状軽石９をネット状袋に詰込、数センチ厚の平板状に敷設して保水層を形成する。この上に保水層の水を吸水し用土の落下を防止する保水シート１０が敷設され、その上に樹木の固定植栽を可能とする樹木固定補助具（溶接金網１２、鉄筋棒１３）の順にＬ型金具１１を用いて設置され、溶接金網１２と鉄筋棒１３は結束線にて結束一体化され、樹木根巻部の固定補助具とする。なお、余剰水の流出孔５は保水シート表面部の高さに複数形成され、中心部の植栽ボックスを取囲む箱枠内に余剰水が流水される。
【００１５】
中心部の植栽ボックスを取囲むボックス内底部にも、同じく水はけがよく水持ちがよい粒状軽石９をネット状袋に詰込、数センチ厚の平板状に敷設して保水層部を形成する。この上に保水層の水を吸水し用土の落下を防止する保水シート１０が敷設され、当該保水シートから数ミリ上がった位置に余剰水が流出する流出孔５が複数孔形成される。ボックス外周面に設置されるカバー材６内部の溝にボックス内から余剰水が流出され、該溝内の排出孔８から外部に余剰水が排水される。また、外周ボックス以外のボックス外壁面には杉皮１４を張付け、多段式植栽ボックス全体の美観向上を図る。なお、余剰水の外部排水は外壁面に沿って垂直に排水されるため、外壁面を汚すことなく、多段式植栽ボックスの美観が保たれる。
【００１６】
図４は、多段式植栽室の中心部に樹木が植栽される植栽ボックス内を示す断面説明図である。植栽ボックス内は、図３の説明と重複となるが下部から粒状軽石９による保水層その上に保水シート１０の順で配置し、ここから数センチ上がった所にＬ型金具１１を用いて棚を形成し、この棚の上に溶接金網１２、井桁状に組合せた鉄筋棒１３を設置し、溶接金網１２と鉄筋棒１３が結束線で結束され、溶接金網類が浮き上がらないようにＬ型金具で押え付けて樹木固定の補助具とする。
【００１７】
次に樹木固定補助具が設置された上から当該樹木固定具が隠れる程度まで良質土１５を覆土し、この上に根鉢部分を載せ当該根鉢側面に沿って垂直に樹木固定具のＪ型アンカーピン１７を四方に配置し、根鉢下面に形成されている樹木固定補助具にＪ型アンカーピン１７のフック部１７Ｂ部分を係止めし、当該Ｊ型アンカーピン１７の頭部１７Ａ部分から根鉢を押さえ込むＴＫクロー１８の貫通孔部１８Ａを通し、根鉢頭部にリング状に形成したワイヤー１９と根鉢１６とをＴＫクロー１８の二股爪部１８Ｂで押さえ込み、当該ＴＫクローの貫通孔部１８Ａを六角ボルト２０で締付け、根鉢を樹木固定補助具に垂直に固定し規定位置まで良質土１５を覆土し、風や振動等で倒木しないように固定植栽する。
【００１８】
なお、中心部の植栽ボックスは植栽される樹木の大きさに合わせ幅や高さが異なり、植栽ボックスの幅や高さが６０ｃｍ以上になる場合には、植栽ボックス内に十字型の支え棒２１を設置して植栽ボックスの変形を防止する。
【００１９】
図５は、図３で形成した多段式植栽ボックス４内に植栽した事例を示すものである。始めに中心部のボックス内に数センチ厚で良質土を覆土し、この上にメインとなる樹木を配置して樹木固定具のＪ型アンカーとＴＫクローを用いて樹木が垂直になるように根鉢部を補助金具に固定し、根鉢部分に隙間が生じることのないように規定の高さまで覆土を施して樹木２１を垂直に植栽し、表面の用土部分を張芝２３で覆う。
【００２０】
多段式植栽ボックス４の中心部ボックス内の植栽が完了後、中心ボックスの外周を取囲むボックス内に良質土を規定の高さまで覆土し、草花２４の植栽を施した一事例である。この他に中木と低木の組合せや低木と草花や地被植物の組合せといった多種多様な組合せをもって舗装された道路端や屋上等の緑化を図る。
【産業上の利用可能性】
【００２１】
多段式植栽ボックスは、ビルやマンション等のバルコニーやホール及びコンクリート等で舗装された道路端等の緑化ボックスとして、大いに利用される可能性の高い多段式植栽ボックスである。
【符号の説明】
【００２２】
１  ボックス
２  底板
３  仕切板
４  多段式植栽ボックス
５  流水孔
６  カバー材
７  溝
８  排水溝
９  粒状軽石
１０  保水シート
１１  Ｌ型金具
１２  溶接金網
１３  鉄筋棒
１４  杉皮
１５  良質土
１６  根鉢
１７  Ｊ型アンカー
１７Ａフック部
１７Ｂ頭部
１８  爪部
１８Ａ貫通部  
１８Ｂ二股爪部
１９  ワイヤー
２０  六角ナット
２１  支え棒
２２  樹木
２３  張芝
２４  草花
【図１】
0003203419.tif 000003
【図２】
0003203419.tif 000004
【図３】
0003203419.tif 000005
【図４】
0003203419.tif 000006
【図５】
0003203419.tif 000007
【手続補正書】
【提出日】平成28年1月21日(2016.1.21)
【手続補正１】
【補正対象書類名】実用新案登録請求の範囲
【補正対象項目名】請求項２
【補正方法】変更
【補正の内容】
【請求項２】
箱型に組んだ複数のボックスからなる前記多段式植栽ボックスの中心部から外周ボックスに向かい、余剰水を流水する階段状の流水孔が形成されていることを特徴とする請求項１に記載の多段式植栽ボックス。